(57)【要約】【課題】放熱性の向上と各蓄電池の均熱化とを可能にした蓄電池収納箱を提供する。【解決手段】蓄電池収納箱２２は、蓄電池１１の収納空間を左右に仕切る複数の中仕切り板４１を備え、底板２３と上板２４と中仕切り板４１の少なくともいずれかに、予め定めた蓄電池１１間に通気路５５を形成する開口部（スリット５１、５２）を設け、残りの蓄電池１１間への通気は遮断するようにした。【選択図】図６
2015118799.tif 000002
【特許請求の範囲】
【請求項１】
底板と上板との間に複数の蓄電池を収納する蓄電池収納箱において、
前記蓄電池の収納空間を左右に仕切る複数の中仕切り板を備え、
前記底板と前記上板と前記中仕切り板の少なくともいずれかに、予め定めた前記蓄電池間に通気路を形成する開口部を設け、残りの前記蓄電池間への通気は遮断することを特徴とする蓄電池収納箱。
【請求項２】
前記予め定めた前記蓄電池間に配置される前記中仕切り板は、上下に開放する空洞部を有し、前記底板及び前記上板の少なくともいずれかは、前記空洞部に連通するスリットを有することを特徴とする請求項１に記載の蓄電池収納箱。
【請求項３】
前記予め定めた前記蓄電池間に配置される前記中仕切り板は、前後に開放する空洞部を有することを特徴とする請求項１又は２に記載の蓄電池収納箱。
【請求項４】
前記蓄電池を前方から押さえるとともに前記中仕切り板の前面を覆う押さえ板を有し、
前記押さえ板は前記中仕切り板の前記空洞部と連通するスリットを有することを特徴とする請求項３に記載の蓄電池収納箱。
【請求項５】
前記底板と前記上板と前記中仕切り板の少なくともいずれかにより、前記残りの前記蓄電池間への通気を遮断することを特徴とする請求項１乃至４のいずれか一項に記載の蓄電池収納箱。
【請求項６】
左右両端に位置する前記蓄電池とその隣の前記蓄電池との間の通気が遮断されることを特徴とする請求項１乃至５のいずれか一項に記載の蓄電池収納箱。
【請求項７】
最も下に位置する前記蓄電池間の通気が遮断されることを特徴とする請求項１乃至６のいずれか一項に記載の蓄電池収納箱。
【発明の詳細な説明】
【技術分野】
【０００１】
本発明は、底板と上板との間に複数の蓄電池を収納する蓄電池収納箱に関する。
【背景技術】
【０００２】
近年、地球環境問題への関心が高まりクリーンエネルギーの導入が進められ、より高エネルギー密度、高エネルギー容量の電力貯蔵用蓄電池やスマートグリッド用蓄電池の開発が求められている。これらの用途で使用される蓄電池は、複数の単電池を直列又は並列接続することが行われ、組電池として使用される。
この種の組電池には、底板と上板との間に複数の蓄電池を横並びに収納する蓄電池収納箱を多段で備えるものがあり、蓄電池の電槽にリブを設け、リブの間を通風口にして放熱を促す構成が提案されている（例えば、特許文献１参照）。
【先行技術文献】
【特許文献】
【０００３】
【特許文献１】特開２０１０−２７７８４７号公報
【発明の概要】
【発明が解決しようとする課題】
【０００４】
しかし、電槽にリブを設ける構造は、通風口の大きさが小さく、放熱が十分でない場合や放熱量に偏りが生じるおそれがあり、また、電槽の構造をリブ付きに変更しなければならない、という制約がある。また、従来の構成は、蓄電池毎の放熱ムラが生じ、蓄電池毎の温度に偏りが生じ易く、組電池全体の平均温度を下げられたとしても各蓄電池の状態に差が生じるため、特定の蓄電池の劣化が進みやすくなり、組電池としては短寿命になっていた。
本発明は、上述した事情を鑑みてなされたものであり、放熱性の向上と各蓄電池の均熱化とを可能にした蓄電池収納箱を提供することにある。
【課題を解決するための手段】
【０００５】
上述した課題を解決するため、本発明は、底板と上板との間に複数の蓄電池を収納する蓄電池収納箱において、前記蓄電池の収納空間を左右に仕切る複数の中仕切り板を備え、前記底板と前記上板と前記中仕切り板の少なくともいずれかに、予め定めた前記蓄電池間に通気路を形成する開口部を設け、残りの前記蓄電池間への通気は遮断することを特徴とする。この構成によれば、放熱性を向上させるとともに、予め定めた蓄電池が他の蓄電池よりも温度が高い場合にその温度の偏りを抑えることができる。これにより、放熱性の向上と各蓄電池の均熱化が可能になる。
【０００６】
また、本発明は、前記予め定めた前記蓄電池間に配置される前記中仕切り板は、上下に開放する空洞部を有し、前記底板及び前記上板の少なくともいずれかは、前記空洞部に連通するスリットを有することを特徴とする。この構成によれば、空洞部及びスリットにより、上下方向の通気を促し、効率よく放熱することができる。
【０００７】
また、本発明は、前記予め定めた前記蓄電池間に配置される前記中仕切り板は、前後に開放する空洞部を有することを特徴とする。この構成によれば、前後方向の通気によっても放熱することができる。
また、本発明は、前記蓄電池を前方から押さえるとともに前記中仕切り板の前面を覆う押さえ板を有し、前記押さえ板は前記中仕切り板の前記空洞部と連通するスリットを有することを特徴とする。この構成によれば、簡易に前後方向への通気を行うことができる。
【０００８】
また、本発明は、前記底板と前記上板と前記中仕切り板の少なくともいずれかにより、前記残りの前記蓄電池間への通気を遮断することを特徴とする。この構成によれば、蓄電池収納箱が有する構成を用いて、通気を遮断することができ、部品点数の増大を回避することもできる。
また、本発明は、左右両端に位置する前記蓄電池とその隣の前記蓄電池との間の通気が遮断されることを特徴とする。この構成によれば、側方の外部空間に放熱し易い蓄電池の著しい温度低下を抑制することができ、他の蓄電池との均熱化を図り易くなる。
また、本発明は、最も下に位置する前記蓄電池間の通気が遮断されることを特徴とする。この構成によれば、下方の外部空間に放熱し易い蓄電池の著しい温度低下を抑制することができ、他の蓄電池との均熱化を図り易くなる。
【発明の効果】
【０００９】
本発明では、放熱性の向上と各蓄電池の均熱化とを可能にすることができる。
【図面の簡単な説明】
【００１０】
【図１】実施形態に係る蓄電池収納箱を備える組電池を示す図である。
【図２】蓄電池収納箱を正面から見た図である。
【図３】蓄電池収納箱を上方から見た図である。
【図４】中仕切り板の斜視図である。
【図５】第１実施例に係る組電池を正面から模式的に示した図である。
【図６】１段目から３段目の蓄電池収納箱を模式的に示した図であり、図６（Ａ）は上方から見た図、図６（Ｂ）は前方から見た図、図６（Ｃ）は下方から見た図である。
【図７】最下段の蓄電池収納箱を模式的に示した図であり、図７（Ａ）は上方から見た図、図７（Ｂ）は前方から見た図、図７（Ｃ）は下方から見た図である。
【図８】図８（Ａ）は第２実施例に係る組電池を正面から模式的に示した図であり、図８（Ｂ）は第３実施例に係る組電池を正面から模式的に示した図である。
【図９】図９（Ａ）は第４実施例に係る組電池を正面から模式的に示した図であり、図９（Ｂ）は第５実施例に係る組電池を正面から模式的に示した図である。
【図１０】図１０（Ａ）は第６実施例に係る組電池を正面から模式的に示した図であり、図１０（Ｂ）は第７実施例に係る組電池を正面から模式的に示した図である。
【図１１】図１１（Ａ）は第８実施例に係る組電池を正面から模式的に示した図であり、図１１（Ｂ）は第９実施例に係る組電池を正面から模式的に示した図である。
【図１２】図１２は第１０実施例に係る組電池を正面から模式的に示した図である。
【発明を実施するための形態】
【００１１】
以下、図面を参照して本発明の一実施の形態について説明する。
図１は、実施形態に係る蓄電池収納箱を備える組電池（蓄電池システム）を示す図である。
組電池１０は、非常用電源や自家発電装置の起動等、災害時のバックアップに用いられる産業用の組電池であり、複数の蓄電池（単電池に相当）１１を横並びで収納する複数の蓄電池収納箱２２を備えている。これら蓄電池収納箱２２は、多段に積み上げられ、上下段に隣接する前記蓄電池収納箱２２の下段の上部のフレーム２６と上段の下部のフレーム２７との４隅が、ボルト及びナットからなる連結部材（不図示）で各々連結されている。
本実施形態では、蓄電池収納箱２２を４段とし、各蓄電池収納箱２２に６個の蓄電池１１を収納し、これによって２４個の蓄電池１１を収納する組電池１０を構成している。但し、この構成に限らず、蓄電池収納箱２２の段数や収納数は適宜に変更可能である。また、各蓄電池収納箱２２は同じ構成である。
【００１２】
図２は、蓄電池収納箱２２を正面から見た図であり、図３は上方から見た図である。
蓄電池収納箱２２は、底板２３と、底板２３の上方に間隔を空けて配置される上板２４と、底板２３と上板２４の左右端部間をつなぐ左右一対の側板２５と、後板３０とを備え、前面が開口する前面開口収納部２２Ａ（図２）を有する箱形状に形成されている。この蓄電池収納箱２２を構成する各板２３〜２５は、鉄やステンレス鋼等の金属板で製作されている。
蓄電池１１は、非常用電源等に用いられる制御弁式蓄電池であり、電極や電解液を収容する直方体形状の電槽１２と、この電槽１２の前部を構成する電槽蓋１３とを備えている。電槽１２はリブを備えない構造に形成されている。また、電槽蓋１３には、正極端子１５Ａ、負極端子１５Ｂ及び制御弁１５Ｃが取り付けられている。なお、以下の説明において、正極端子１５Ａ、負極端子１５Ｂを特に区別する必要が無い場合は端子１５と表記する。
【００１３】
この蓄電池１１は、蓄電池収納箱２２に装填されて、端子１５等が取り付けられた電槽蓋１３を、蓄電池収納箱２２の前方に向け、且つ、蓄電池収納箱２２よりも前方に出た状態とされる。このようにして蓄電池１１を装填した後、蓄電池収納箱２２の前部に押さえ板（止め金具とも称する）３１が固定される。
図２に示すように、各押さえ板３１は、上下一対の締結部材３２によって蓄電池収納箱２２の底板２３と上板２４とに固定され、各蓄電池１１を前方から押さえ、通常の使用時において蓄電池収納箱２２から蓄電池１１が抜け落ちないようにしている。この押さえ板３１により、地震や転倒により蓄電池１１が抜け落ちるのを防止することが可能になる。このようにして単一の蓄電池収納箱２２に複数の蓄電池１１を装填し、押さえ板３１で固定したものを「ユニット型蓄電池」という。
【００１４】
組電池１０の使用時には、各蓄電池１１の端子１５同士が、導体である接続板３３（図１参照）によって電気的に接続した状態とされる。接続板３３は、隣接する蓄電池１１の端子１５同士を接続することによって、必要個数の蓄電池１１を直列或いは並列に接続し、必要電圧や必要容量を確保した「組電池」に構成している。
なお、図１では、接続板３３を銅板で形成し、蓄電池１１を直列に接続した場合を示している。接続板３３は、銅板に限らず、他の金属板や配線といった他の導体を用いることも可能である。
【００１５】
図１〜図３に示すように、蓄電池収納箱２２には、蓄電池１１の収納空間を左右に仕切る仕切り板である複数の中仕切り板４１が設けられている。図１〜図３に示す例では、蓄電池１１と中仕切り板４１とが交互に配置され、蓄電池１１が６個の場合は、中仕切り板４１が５個設けられている。
図１〜図３に示すように、中仕切り板４１は、内部に空洞部Ｓを有し、この空洞部Ｓが底板２３及び上板２４に設けたスリット５１、５２（５２については後述する図参照）と連通することによって、左右の蓄電池１１間に通気路５５を形成する。この通気路５５により左右の蓄電池１１からの熱を効率よく外部に放出することができる。
【００１６】
図４は、中仕切り板４１の斜視図を示している。中仕切り板４１は、左右一対の側板４２と、これら側板４２同士を所定距離だけ左右に離して連結する複数の連結体４３とを有する。
左右の側板４２は、同形状であり、左右の蓄電池１１の側面（蓄電池１１同士が対向する面に相当）と同形状の矩形板形状に形成される。
連結体４３は、左右の側板４２を、その間に空洞部Ｓを空けて連結するとともに、空洞部Ｓを上下及び前後に開放させる。より具体的には、連結体４３は、左右の側板４２の対向する４隅同士を独立して連結する梁となるように左右方向に延びる細板形状に形成され、左右の側板４２間の上下に開口部ＫＡ、ＫＢを形成するとともに、前後に開口部ＫＣ、ＫＤを形成する。
【００１７】
上記の中仕切り板４１は、熱伝導性が高い材料で形成すれば良く、蓄電池収納箱２２と同じ金属板でも良いし、銅、アルミニウム合金、マグネシウム合金等の様々な金属材や樹脂等を用いることが可能である。また、中仕切り板４１を、押出成形法やダイキャスト成形法、ブロー成形法等を用いて成形しても良い。
中仕切り板４１を蓄電池収納箱２２に配置した場合には、図３に示すように、中仕切り板４１の上下の開口部ＫＡ、ＫＢが、底板２３及び上板２４に設けたスリット５１、５２に連通する。これにより、上下に空気が流通自在な通気路５５が形成され、左右の蓄電池１１からの熱を上方に放出することができる。
【００１８】
また、図２に示すように、中仕切り板４１の前方の開口部ＫＣは、押さえ板３１に設けられたスリット３１Ａに連通する。これによって、左右の蓄電池１１からの熱を前方にも放出することができる。ここで、蓄電池１１は、端子１５等が取り付けられた電槽蓋１３側に電流密度が高くなりやすいので、前側の方が後側よりも温度が高くなり易い。本構成では、中仕切り板４１が前方に熱を放出可能に形成されるので、蓄電池１１の前側と後側の温度差を低減することができ、蓄電池１１自体の温度の均等化（均熱化）を図ることができる。
なお、蓄電池収納箱２２は、前面が開口し後面が閉じた形状であるため、中仕切り板４１を蓄電池収納箱２２に装填した場合には、蓄電池１１の後側の熱が放熱しにくく、これによっても蓄電池１１の冷却及び前後温度の均熱化に有利である。但し、より放熱を促したい場合等には、中仕切り板４１を装填する部分の蓄電池収納箱２２の後面を開口させる、といった各種の変更を行ってもよい。
【００１９】
この中仕切り板４１の前後長（＝側板の前後長）ＬＡ（図４参照）は、蓄電池収納箱２２の奥行き（前後長）Ｌ１（図３参照）と略同じ長さに形成されており、中仕切り板４１の高さＨＡ（＝側板４２の高さ）は、蓄電池収納箱２２の底板２３と上板２４との離間距離Ｈ１（図２参照）と略同じ長さに形成されている。これによって、中仕切り板４１は蓄電池収納箱２２の底板２３と上板２４との間に挟まれた状態で立設し、蓄電池収納箱２２の内部空間（前面開口収納部２２Ａ）を左右に仕切る。また、中仕切り板４１は、蓄電池収納箱２２の前面開口収納部２２Ａから前後に出し入れ自在であり、且つ、底板２３や上板２４に沿って左右にスライド自在である。
従って、中仕切り板４１の位置を、蓄電池１１の左右位置に合わせて容易に調整することができ、図１〜図３に示すように、蓄電池１１との間に隙間が空かないように中仕切り板４１を容易に配置することができる。この配置により、中仕切り板４１の左右の側板４２が、左右（両隣り）の蓄電池１１の側面に密着し、蓄電池１１の熱が側板４２を介して空洞部Ｓ内に放出される。
【００２０】
また、底板２３に設けられるスリット５１は、図３に示すように、前後方向に長い長方形の孔形状であって、その幅（左右長）ＷＳが、中仕切り板４１の上下の空洞部Ｓの幅ＷＡ以下であり、かつ、その前後長ＬＳが、中仕切り板４１の前後長ＬＡ以下である形状に形成されている。このため、中仕切り板４１の位置が左右や前後に多少ずれたとしても、各スリット５１を、各中仕切り板４１の上下に開放する空洞部Ｓに連通させることができる。なお、上板２４に設けられるスリット５２についても、上記スリット５１と同様である。
【００２１】
また、蓄電池収納箱２２を多段に重ねた場合には、図１に示すように、上下の蓄電池収納箱２２間に左右に連続して外気に連通する空間部が形成される。このため、空洞部Ｓ内の通気によって、上下の蓄電池収納箱２２間からも外気が吸い上げられる。これによって、上下の蓄電池収納箱２２間の熱は、空洞部Ｓを経由して効率良く排出することが可能になり、蓄電池１１の放熱効果を向上させることができる。
さらに、本実施形態では、放熱性の向上に加え、蓄電池１１毎の温度の偏り（放熱ムラ）を低減するために、所定の蓄電池１１間だけに上記通気路５５を形成して放熱を促し、残りの蓄電池１１間には上下及び／又は前後への通気路５５を形成しないようにして放熱ムラを抑制するようにしている。以下、具体的な実施例を説明する。なお、実施例は以下のものに限定されるものではない。
【００２２】
（第１実施例）
図５は、第１実施例に係る組電池１０を正面から模式的に示した図である。
図５及び以下に示す各図において、符号αで示す箇所は、上下方向の通気を遮断した箇所であり、符号βで示す箇所は、前後方向の通気を遮断した箇所である。
図５に示すように、第１実施例では、左右両端に位置する蓄電池１１（図５中、１１ａで示す）と、その蓄電池１１の隣の蓄電池１１（図５中、１１ｂで示す）との間の上下方向の通気を規制し、残りの蓄電池１１間の上下方向の通気を許容している。
さらに、第１実施例では、最下段の左右両端に位置する蓄電池１１（図５中、１１ｃで示す）と、その蓄電池１１ｃの隣の蓄電池１１（図５中、１１ｄで示す）との間の前後方向の通気を規制し、残りの蓄電池１１（蓄電池１１ａ、１１ｂも含む）間の上下方向の通気を許容している。
【００２３】
図６は、最上段に相当する１段目から３段目の蓄電池収納箱２２を模式的に示した図であり、図６（Ａ）は上方から見た図、図６（Ｂ）は前方から見た図、図６（Ｃ）は下方から見た図である。なお、図６には、説明の便宜上、蓄電池１１、１１ａ、１１ｂの位置を符号だけで示している。
図６（Ａ）に示すように、蓄電池収納箱２２の上板２４には、蓄電池１１ａ、１１ｂを除く蓄電池１１間だけにスリット５１が形成され、蓄電池１１ａ、１１ｂ間は閉塞される。
また、図６（Ｃ）に示すように、蓄電池収納箱２２の底板２３についても、蓄電池１１ａ、１１ｂを除く蓄電池１１間だけにスリット５２が形成され、蓄電池１１ａ、１１ｂ間は閉塞される。
【００２４】
この構成により、蓄電池１１ａ、１１ｂ間では、中仕切り板４１の空洞部Ｓは上下のいずれにも開放せず、蓄電池１１ａ、１１ｂ間の上下方向の通気が規制される。
一方、図６（Ｂ）に示すように、押さえ板３１については、全てスリット３１Ａが設けられる。これにより、横並びの全ての蓄電池１１、１１ａ、１１ｂ間では、中仕切り板４１の空洞部Ｓが前方に開放し、前方への通気は許容される。
【００２５】
本構成によれば、一般に、左右両端側の蓄電池１１ほど外空間へ放熱し易いので、左右両端側の蓄電池１１ａ、１１ｂ間の上下方向の通気を規制することにより、蓄電池１１ａ、１１ｂの放熱を抑えることができる。これにより、隣の蓄電池１１との温度差を抑えることができ、左右に隣り合う蓄電池１１の均熱化を図り易くなる。
また、前方への通気は許容されるので、蓄電池１１前後の温度の偏りを抑えることができ、蓄電池１１単体の均熱化を図り易くなる。
【００２６】
図７は、最下段の蓄電池収納箱２２を模式的に示した図であり、図７（Ａ）は上方から見た図、図７（Ｂ）は前方から見た図、図７（Ｃ）は下方から見た図である。
図７に示すように、最下段の蓄電池収納箱２２は、図６に示した構成に加え、更に、左右両端側の蓄電池１１ｃ、１１ｃ間の押さえ板３１（図６中、符号３１Ｘで示す）にはスリット３１Ａを形成していない構成である。
この構成によれば、最下段の蓄電池収納箱２２については、蓄電池１１ｃ、１１ｄの放熱を更に抑制することができる。図５に示すように、蓄電池１１ｃ、１１ｄは、左右外側に加えて下方にも放熱し易い位置にあるため、一般に温度低下が著しい。このため、蓄電池１１ｃ、１１ｄの放熱を更に抑制することにより、上段の蓄電池１１（１１ａ、１１ｂを含む）との温度差を低減し、均熱化を図り易くなる。
【００２７】
この構成によれば、蓄電池１１間の通気を促して放熱性を向上しつつ、左右両端側及び下段側の蓄電池１１ａ〜１１ｄの放熱を抑制し、各蓄電池１１の均熱化を図り易くなる。
しかも、本構成では、底板２３や上板２４や押さえ板３１のスリット５１、５２、３１Ａの有無により、所定の蓄電池１１ａ〜１１ｄの放熱を抑制するので、中仕切り板４１を全て共通にすることができる。この中仕切り板４１は、開口部ＫＡ〜ＫＤを有しない構成と比べて軽量であるため、組電池１０の軽量化に有利である。
【００２８】
なお、本実施例では、底板２３や上板２４や押さえ板３１のスリット５１、５２、３１Ａの有無により、所定の蓄電池１１ａ〜１１ｄの放熱を抑制する場合を説明したが、中仕切り板４１の開口部ＫＡ〜ＫＤを適宜に閉塞した構造にすることによって、上記の通気を規制するように構成しても良い。この場合、底板２３や上板２４や押さえ板３１は全て共通にしても良いし、上記と同様のままでも良い。
【００２９】
（第２実施例）
図８（Ａ）は、第２実施例に係る組電池１０を正面から模式的に示した図である。
第２実施例では、最下段の全ての蓄電池１１（蓄電池１１ｃ、１１ｄを含む）間の上下方向の通気を規制し、最下段の蓄電池１１ｃ、１１ｄ間の前後方向の通気を規制し、残りの蓄電池１１（蓄電池１１ａ、１１ｂを含む）間の上下及び前後方向への通気を許容している。
つまり、第２実施例の最下段は、第１実施例の最下段の蓄電池収納箱２２に対し、更に、底板２３や上板２４のスリット５１、５２を無くした構造とされる。
【００３０】
この構成によれば、最下段の全ての蓄電池１１（蓄電池１１ｃ、１１ｄを含む）の放熱を抑えつつ、残りの蓄電池１１の放熱性を向上することができる。この第２実施例は、最下段の蓄電池１１と上段の蓄電池１１との温度差が大きく、且つ、蓄電池１１ｃ、１１ｄの温度上昇が抑えられる環境の場合に、例えば、最下段の蓄電池１１下方の空間の温度が比較的低く、下方ほど温度低下が著しい設置環境の場合に、放熱性の向上と各蓄電池１１の均熱化を図り易くなる。
なお、第２実施例においても、最下段の中仕切り板４１の開口部ＫＡ〜ＫＤを適宜に閉塞した構造にすることによって、上記の通気を規制するように構成しても良い。
【００３１】
（第３実施例）
図８（Ｂ）は、第３実施例に係る組電池１０を正面から模式的に示した図である。
第３実施例では、蓄電池１１ａ、１１ｂ間、及び、最下段の全ての蓄電池１１（蓄電池１１ｃ、１１ｄを含む）間の上下方向の通気を規制するとともに、蓄電池１１ａ、１１ｂ間の前後方向の通気を規制し、残りの蓄電池１１（蓄電池１１ａ、１１ｂを含む）の上下及び前後方向への通気を許容している。
この構成によれば、蓄電池１１ａ、１１ｂ及び最下段の蓄電池１１（蓄電池１１ｃ、１１ｄを含む）の放熱を抑制し、特に蓄電池１１ｃ、１１ｄの放熱をより抑制することができる。また、残りの蓄電池１１の放熱性を向上することができる。
この第３実施例は、左右両端側の蓄電池１１ａ〜１１ｄ及び最下段の蓄電池１１の温度上昇が抑えられる環境の場合に、例えば、周囲の空間の温度が比較的低い設置環境の場合に、放熱性の向上と各蓄電池１１の均熱化を図り易くなる。
【００３２】
（第４実施例）
図９（Ａ）は、第４実施例に係る組電池１０を正面から模式的に示した図である。
第４実施例では、蓄電池１１ａ、１１ｂ間、及び、蓄電池１１ｃ、１１ｄ間において、上下及び前後方向の通気を規制し、残りの蓄電池１１間については上下及び前後方向の通気を許容している。つまり、第４実施例の各蓄電池収納箱２２は、第１実施例の最下段の蓄電池収納箱２２と同様の構成である。
この構成によれば、左右両端側の蓄電池１１ａ〜１１ｄの放熱を抑制しつつ、残りの蓄電池１１の放熱性を向上することができる。
この第４実施例では、左右両端側の蓄電池１１ａ〜１１ｄと、他の蓄電池１１との温度差が大きくなる環境の場合に、例えば、左右空間の温度が比較的低く、左右両端側ほど温度低下が著しい設置環境の場合に、放熱性の向上と各蓄電池１１の均熱化を図り易くなる。
【００３３】
（第５実施例）
図９（Ｂ）は、第５実施例に係る組電池１０を正面から模式的に示した図である。
第５実施例では、最下段の全ての蓄電池１１（蓄電池１１ｃ、１１ｄを含む）間の上下及び前後方向の通気を規制し、残りの蓄電池１１間の上下及び前後方向への通気を許容している。
この構成によれば、最下段の全ての蓄電池１１（蓄電池１１ｃ、１１ｄを含む）の放熱を重点的に抑制しつつ、残りの蓄電池１１の放熱性を向上することができる。この第５実施例は、最下段の全ての蓄電池１１（蓄電池１１ｃ、１１ｄを含む）と、上段の蓄電池１１との温度差が特に大きくなる環境の場合に、放熱性の向上と各蓄電池１１の均熱化を図り易くなる。
【００３４】
（第６実施例）
図１０（Ａ）は、第６実施例に係る組電池１０を正面から模式的に示した図である。
第６実施例では、蓄電池１１ａ、１１ｂ間、及び、蓄電池１１ｃ、１１ｄ間の上下及び前後方向の通気を規制するとともに、最下段の他の蓄電池１１間の上下方向の通気を規制し、残りの蓄電池１１間の上下及び前後方向への通気を許容している。
この構成によれば、左右両端側の蓄電池１１ａ〜１１ｄの放熱を重点的に抑制し、最下段の他の蓄電池１１の放熱も抑制することができる。この第６実施例は、第１実施例よりも左右両端側の蓄電池１１ａの温度上昇が抑制されやすい環境の場合に、放熱性の向上と各蓄電池１１の均熱化を図り易くなる。
【００３５】
（第７実施例）
図１０（Ｂ）は、第７実施例に係る組電池１０を正面から模式的に示した図である。
第７実施例では、蓄電池１１ａ、１１ｂ間の上下方向の通気を規制するとともに、最下段の全ての蓄電池１１（蓄電池１１ｃ、１１ｄを含む）間の上下及び前後方向の通気を規制し、残りの蓄電池１１間の上下及び前後方向への通気を許容している。
この構成によれば、最下段の蓄電池１１、１１ｃ、１１ｄの放熱を重点的に抑制し、左右両端側の蓄電池１１ａ、１１ｂの放熱も抑制することができる。この第７実施例は、第１実施例よりも最下段の蓄電池１１の温度低下が著しい環境の場合に、放熱性の向上と各蓄電池１１の均熱化を図り易くなる。
【００３６】
（第８実施例）
図１１（Ａ）は、第８実施例に係る組電池１０を正面から模式的に示した図である。
第８実施例では、全ての蓄電池１１の前後方向の通気を規制し、上下方向の通気のみを許容している。
この構成によれば、蓄電池１１の発熱による熱が中仕切り板４１を介して空洞部Ｓ内に放射された場合に、その熱による上昇気流の発生を妨げず、上昇気流による通気を促すことができる。つまり、上昇気流を利用して効率よく放熱性の向上を図ることででき、この放熱性の向上により上下の蓄電池１１の均熱化を図り易くなる。この第８実施例は、第１実施例よりも蓄電池１１、１１ａ〜１１ｄの上下及び左右方向の温度が比較的一定であるが、前後方向に温度差があり、特に後側の温度低下が著しい環境の場合に、放熱性の向上と各蓄電池１１の均熱化を図り易くなる。
【００３７】
（第９実施例）
図１１（Ｂ）は、第９実施例に係る組電池１０を正面から模式的に示した図である。
第９実施例では、最下段の全ての蓄電池１１（蓄電池１１ｃ、１１ｄを含む）間の上下方向の通気を規制し、残りの蓄電池１１の上下及び前後方向への通気を許容している。
この構成によれば、最下段の蓄電池１１、１１ｃ、１１ｄの放熱を抑制しつつ、残りの蓄電池１１の放熱性を向上することができる。この第９実施例は、第５実施例よりも最下段の全ての蓄電池１１と、上段の蓄電池１１との温度差が小さい場合に、放熱性の向上と各蓄電池１１の均熱化を図り易くなる。
【００３８】
（第１０実施例）
図１２は、第１０実施例に係る組電池１０を正面から模式的に示した図である。
第１０実施例では、最下段の全ての蓄電池１１（蓄電池１１ｃ、１１ｄを含む）間の下方からの通気だけを規制し、残りの蓄電池１１の上下及び前後方向への通気を許容している。
この構成によれば、最下段の蓄電池１１、１１ｃ、１１ｄの下方空間の空気が蓄電池１１間に進入しないので、下方空間の空気温度による影響だけを重点的に抑制する。これにより、第９実施例に対し、最下段の蓄電池１１、１１ｃ、１１ｄなどの放熱を微調整することができ、設置環境に応じて、放熱性の向上と各蓄電池１１の均熱化を図り易くなる。
また、これに代えて、蓄電池１１間の上方への通気だけを規制するようにしても良い。
すなわち、設置環境に応じた各蓄電池１１の温度の偏りを抑えるように、いずれかの蓄電池１１間の上方、下方、前方、後方に設けられる中仕切り板４１の開口部ＫＡ〜ＫＤ、及び／又は中仕切り板４１の開口部ＫＡ〜ＫＤに対応する上板２４、底板２３、後板３０に設けられるスリット５１、５２、及び／又は押さえ板３１に設けられるスリット３１Ａの通気を適宜規制するようにすれば良い。
【００３９】
以上説明したように、本実施の蓄電池収納箱２２は、蓄電池１１の収納空間を左右に仕切る複数の中仕切り板４１を備え、底板２３と上板２４と中仕切り板４１の少なくともいずれかに、予め定めた蓄電池１１間に通気路５５を形成する開口部（スリット５１、５２、ＫＡ〜ＫＤ）を設け、残りの蓄電池１１間への通気は遮断するので、予め定めた蓄電池１１の放熱性を向上し、残りの蓄電池１１の放熱を抑制することができる。このため、ファン等の強制冷却装置を使用しなくても放熱性を向上させることができ、且つ、予め定めた蓄電池１１が他の蓄電池１１よりも温度が高い場合にその温度の偏りを抑えることができる。従って、放熱性の向上と各蓄電池１１の均熱化とが可能になる。
また、ファン等の冷却装置を使用しないため、コスト低減に有利である。
【００４０】
前記予め定めた蓄電池１１間に配置される中仕切り板４１は、上下に開放する空洞部Ｓを有し、底板２３及び上板２４の少なくともいずれかは空洞部Ｓに連通するスリット５１、５２を有するので、空洞部Ｓ及びスリット５１、５２により、上下方向の通気を促し、効率よく放熱することができる。
また、前記予め定めた蓄電池１１間に配置される中仕切り板４１は、前後に開放する空洞部Ｓを有するので、前後方向の通気によっても放熱することができる。この前後方向の通気により、蓄電池１１の放熱性を向上したり、蓄電池１１自体の温度の均等化（均熱化）を図ったりすることができる。
【００４１】
また、蓄電池１１を前方から押さえるとともに中仕切り板４１の前面を覆う押さえ板３１を有し、押さえ板３１は中仕切り板４１の空洞部Ｓと連通するスリット３１Ａを有するので、簡易に前後方向への通気を行うことができる。また、従来の、スリット３１Ａを有しない押さえ板を用いることにより、簡易に前後方向への通気を遮断できる。
また、蓄電池収納箱２２の底板２３と上板２４と中仕切り板４１の少なくともいずれかにより、残りの蓄電池１１間への通気を遮断するので、簡易な構成で通気を遮断できる。また、蓄電池収納箱２２が有する構成を用いるので、部品点数の増大を回避し、コスト低減にも有利である。
【００４２】
また、左右両端に位置する蓄電池１１ａ、１１ｃとその隣の蓄電池１１ｂ、１１ｄとの間の通気が遮断されるので、側方の外部空間に放熱し易い蓄電池１１ａ〜１１ｂの著しい温度低下を抑制することができ、他の蓄電池１１との均熱化を図り易くなる。
また、最も下に位置する蓄電池１１（１１ｃ、１１ｄを含む）間の通気が遮断されるので、下方の外部空間に放熱し易い蓄電池１１の著しい温度低下を抑制することができ、他の蓄電池１１との均熱化を図り易くなる。
【００４３】
上述した実施形態は、あくまでも本発明の一態様を示すものであり、本発明の主旨を逸脱しない範囲で任意に変形及び応用が可能である。
例えば、上述の実施形態において、底板２３及び上板２４に設けたスリット５１、５２を閉塞する閉塞部材を設け、この閉塞部材を後付けして所望のスリット５１、５２を閉塞するように構成しても良い。また、押さえ板３１のスリット３１Ａを閉塞する閉塞部材を設け、この閉塞部材を後付けして所望のスリット３１Ａを閉塞するように構成しても良い。また、中仕切り板４１の開口部ＫＡ〜ＫＤのいずれかを覆う閉塞部材を設け、この閉塞部材を後付けして所望の開口部ＫＡ〜ＫＤを適宜に閉塞するように構成しても良い。要は、後付けの部材により、残りの蓄電池１１間への通気を遮断するようにしても良い。
【００４４】
また、上述の実施形態では、中仕切り板４１を蓄電池収納箱２２に着脱自在に構成する場合を説明したが、これに限らず、中仕切り板４１が蓄電池収納箱２２に固定しても良い。また、中仕切り板４１と蓄電池１１とを交互に配置する場合を説明したが、これに限らない。
また、上述の実施形態では、押さえ板３１を蓄電池収納箱２２の上下方向で蓄電池１１間に設ける場合を説明したが、これに限らず、例えば、蓄電池収納箱２２の左右方向で上端部及び下端部に設けても良く、その場合は中仕切り板４１の開口部ＫＣを閉じる、または前記閉塞部材を使用する等、適宜対応すれば前後方向の通気を制御できる。
【符号の説明】
【００４５】
１０  組電池
１１、１１ａ〜１１ｄ  蓄電池
２２  蓄電池収納箱
２３  底板
２４  上板
２５  側板
３０  後板
３１  押さえ板
３１Ａ  スリット
４１  中仕切り板
５１、５２  スリット（開口部）
５５  通気路
Ｓ  空洞部
ＫＡ〜ＫＤ  開口部
【図１】
2015118799.tif 000003
【図２】
2015118799.tif 000004
【図３】
2015118799.tif 000005
【図４】
2015118799.tif 000006
【図５】
2015118799.tif 000007
【図６】
2015118799.tif 000008
【図７】
2015118799.tif 000009
【図８】
2015118799.tif 000010
【図９】
2015118799.tif 000011
【図１０】
2015118799.tif 000012
【図１１】
2015118799.tif 000013
【図１２】
2015118799.tif 000014